(57)【要約】【課題】リピート記録中に追っかけ再生したとき、指定時間内の再生では、映像の途切れることを防止した映像記録再生装置を提供する。【解決手段】リピート記録制御部１０４は、指定時間の入力を受け、映像データ記録部１０６に映像データ記録を指示する。映像データ記録部は、映像データ受信部１０５で受信された映像データを一定時間単位のファイルに記録する。再生制御モード設定部１０７は、リピート記録制御部１０４からの指示により、各ファイルごとに映像データの記録終了から指定時間の経過前迄のファイルに「全再生可能モード」、指定時間＋一定時間の経過前迄のファイルに「再生制限モード」を設定する。再生の指示を受け、再生制御モード確認部１１１は、再生ポイントが属するファイルの再生制御モードを見て、再生制限モードのとき、早送り再生以外の特殊再生が禁止されている旨の警告をする。【選択図】　　　図１
2004072431.tif 000002
【特許請求の範囲】
【請求項１】
映像データを記録媒体に記録しながら、当該記録媒体に記録済みの映像データを追っかけ再生する映像記録再生装置であって、
映像記録手段と、
複数の再生モードに設定可能で、設定されたモードで再生する再生手段と、
前記記録媒体上における記録進行中の位置と再生進行中の位置との関係から、再生モードを制限すべきか否かを判定する判定手段と、
再生モードを制限すべきと判定された場合、前記再生手段に対し設定可能な再生モードを制限する再生制御手段とを備えることを特徴とする映像記録再生装置。
【請求項２】
前記判定手段は、
記録媒体上の記録済領域を、記録進行中の位置に対する記録時間差の大小に応じて、許容される再生モードの異なる領域に分類する分類部と、
再生進行中の位置が、前記分類部で分類されたいずれの領域に存在するかを求め、再生モードを制限すべきか否かの判定を行う判定部とを有することを特徴とする請求項１記載の映像記録再生装置。
【請求項３】
前記映像記録手段は、
映像データを一定時間長のファイルに区切って前記記録媒体に記録する第１映像記録部を有し、
前記分類部は、
前記第１映像記録部で既に記録された各ファイルを各ファイルの位置と記録進行中の位置との時間軸上での時間差で分類し、
時間差が指定された記録時間内にある領域の各ファイルを第１ファイル群と、
時間差が指定された記録時間を超えた一定時間内にある領域のファイルを第２ファイルと、
時間差が指定された記録時間に一定時間を加えた時間を超えた時間にある領域のファイルを第３ファイルとに分類するファイル分類部を有し、
前記判定部は、
再生領域が第２ファイルか否かを判定するファイル判定部を有し、
前記再生制御手段は、前記ファイル判定部で前記第２ファイルと判定されたとき、前記再生手段の再生モードを早送り再生または標準再生に制御することを特徴とする請求項２記載の映像記録再生装置。
【請求項４】
前記ファイル分類部で第３ファイルと分類されたファイルを削除する削除手段を更に備えることを特徴とする請求項３記載の映像記録再生装置。
【請求項５】
前記第１ファイル群の再生指示を受け付ける指示受付手段を更に備え、
前記再生手段は、指示された第１ファイル群のファイルに記録された映像データを読み出し、特殊再生を含めて再生して出力し、
前記再生手段が前記第２ファイルに記録された映像データの読み出しに移行するとき、早送り再生以外の特殊再生の再生モードが禁止されていることを警告する警告手段を更に備えることを特徴とする請求項４記載の映像記録再生装置。
【請求項６】
前記警告手段は、
外部のモニターに出力可能な再生モードを表示して、ユーザの選択を受け付けるモード受付部を有し、
前記再生手段は、モード受付部で選択された再生モードに従い、前記第２ファイルに記録された映像データを読み出し、再生出力することを特徴とする請求項５記載の映像記録再生装置。
【請求項７】
前記モード受付部が所定時間内に再生モードの選択を受け付けなかったとき、前記再生手段は、前記第２ファイルの映像データを読み出し、デフォルトの再生モードで再生出力することを特徴とする請求項６記載の映像記録再生装置。
【請求項８】
前記デフォルトの再生モードは、標準再生であることを特徴とする請求項７記載の映像記録再生装置。
【請求項９】
前記デフォルトの再生モードは、前記第２ファイルが前記ファイル分類部で第３ファイルに分類され、前記削除手段で削除されるまでの時間に当該第２ファイルから映像データを読み出して再生する速度の早送り再生であることを特徴とする請求項７記載の映像記録再生装置。
【請求項１０】
前記警告手段は、外部のスピーカに早送り再生以外の特殊再生の再生モードが選択できない旨を音声で出力させることを特徴とする請求項５記載の映像記録再生装置。
【請求項１１】
前記映像記録手段は、
映像データを指定された記録時間に一定時間を加えた時間長の一のファイルに記録する第２映像記録部を有し、
前記分類部は、
前記第２映像記録部で、既に記録されたファイルの領域を領域の位置と記録進行中の位置との時間軸上での時間差で分類し、
時間差が指定された記録時間内にある領域を第１領域と、
時間差が指定された記録時間を超え、一定時間内にある領域を第２領域とに分類する領域分類部を有し、
前記判定部は、
再生領域が第２領域か否かを判定する領域判定部を有し、
前記再生出制御手段は、前記領域判定部で前記第２領域と判定されたとき、前記再生手段の再生モードを早送り再生または標準再生に制御することを特徴とする請求項２記載の映像記録再生装置。
【請求項１２】
前記第２映像記録部は、時間差が指定された記録時間に一定時間の２倍を加えた時間の前記ファイルの領域に最新の映像データを上書きすることを特徴とする請求項１１記載の映像記録再生装置。
【請求項１３】
前記ファイルの第１領域に記憶された映像データの再生指示を受け付ける指示受付手段を更に備え、
前記再生手段は、指示された第１領域に記録されたデータを読み出し、特殊再生を含めて再生して出力し、
前記再生手段が前記ファイルの第２領域に記録された映像データの読み出しに移行するとき、早送り再生以外の特殊再生が禁止されていることを警告する警告手段を更に備えることを特徴とする請求項１２記載の映像記録再生装置。
【請求項１４】
前記警告手段は、外部のモニターに出力可能な再生モードを表示して、ユーザの選択を受け付けるモード受付部を有し、
前記再生手段は、モード受付部で選択された再生モードに従い、前記ファイルの第２領域に記憶された映像データを読み出し、再生出力することを特徴とする請求項１３記載の映像記録再生装置。
【請求項１５】
前記モード受付部が所定時間内に再生モードの選択を受け付けなかったとき、前記再生手段は、前記第２領域の映像データを読み出し、デフォルトの再生モードで再生出力することを特徴とする請求項１４記載の映像記録再生装置。
【請求項１６】
前記デフォルトの再生モードは、標準再生であることを特徴とする請求項１５記載の映像記録再生装置。
【請求項１７】
前記デフォルトの再生モードは、前記ファイルの第２領域が前記第２映像記録部で最新の映像データを上書きされるまでの時間に当該ファイルの第２領域から映像データを読み出して再生する速度の早送り再生であることを特徴とする請求項１５記載の映像記録再生装置。
【請求項１８】
前記警告手段は、外部のスピーカに早送り再生以外の特殊再生の再生モードが選択できない旨を音声で出力させることを特徴とする請求項１３記載の映像記録再生装置。
【請求項１９】
前記映像記録手段は、
映像データを受信する受信部と、
前記受信部で受信された映像データを所定のサイズの単位映像データとして前記記録媒体に記録する単位映像記録部とを有し、
前記分類部は、
前記単位映像記録部で記録された記録直後の単位映像データの記録領域を特定再生モードでの再生を禁止する特定再生モード禁止領域と、この特定再生モード禁止領域以前の残余の単位映像データ群の記録領域を全ての再生モードを許容する全再生モード領域とに分類する第１分類部を有し、
前記判定部は、
前記第１分類部で分類された特定再生モード禁止領域であるか否かを判定する第１判定部を有し、
前記再生制御手段は、前記第１判定部で特定再生モード禁止領域であると判定されたとき、前記再生手段の再生モードを標準再生モードに制御することを特徴とする請求項２記載の映像記録再生装置。
【請求項２０】
前記分類部は、
前記特定再生モード禁止領域の直前の所定数の単位映像データ群を特定再生モード警告領域に分類する第２分類部を更に有し、
前記判定部は、
前記第２分類部で分類された特定再生モード警告領域であるか否かを判定する第２判定部を更に有し、
前記第２判定部で特定再生モード警告領域であると判定されたとき、早送り再生が禁止されている旨の警告を出力する警告手段を更に備えることを特徴とする請求項１９記載の映像記録再生装置。
【請求項２１】
映像データを記録媒体に記録しながら、当該記録媒体に記録済みの映像データを追っかけ再生する映像記録再生方法であって、
映像記録ステップと、
複数の再生モードに設定可能で、設定されたモードで再生する再生ステップと、
前記記録媒体上における記録進行中の位置と再生進行中の位置との関係から、再生モードを制限すべきか否かを判定する判定ステップと、
再生モードを制限すべきと判定された場合、前記再生ステップでの設定可能な再生モードを制限する再生制御ステップとを有することを特徴とする映像記録再生方法。
【請求項２２】
映像データを記録媒体に記録しながら、当該記録媒体に記録済みの映像データを追っかけ再生する映像記録再生方法をコンピュータに実行させるプラグラムであって、
映像記録ステップと、
複数の再生モードに設定可能で、設定されたモードで再生する再生ステップと、
前記記録媒体上における記録進行中の位置と再生進行中の位置との関係から、再生モードを制限すべきか否かを判定する判定ステップと、
再生モードを制限すべきと判定された場合、前記再生ステップでの設定可能な再生モードを制限する再生制御ステップとを有することを特徴とする映像記録再生プログラム。
【請求項２３】
映像データを第１記録媒体に記録しながら、当該第１記録媒体に記録済みの映像データを追っかけ再生する映像記録再生方法をコンピュータに実行させるプログラムを記録したコンピュータ読み取り可能な第２記録媒体であって、プログラムは、
映像記録ステップと、
複数の再生モードに設定可能で、設定されたモードで再生する再生ステップと、
前記記録媒体上における記録進行中の位置と再生進行中の位置との関係から、再生モードを制限すべきか否かを判定する判定ステップと、
再生モードを制限すべきと判定された場合、前記再生ステップでの設定可能な再生モードを制限する再生制御ステップとを有することを特徴とする第２記録媒体。
【発明の詳細な説明】
【０００１】
【発明の属する技術分野】
本発明は、映像記録再生装置及びその方法に関し、特に受信した映像データのリピート記録中に当該映像データを再生する映像記録再生装置及びその方法に関する。ここで、映像データのリピート記録とは、予め指定された記録時間分の最新の映像データが残るように所定の記録領域に順次映像データを記録することをいう。
【０００２】
【従来の技術】
最近、ハードディスク等の大容量の記録媒体を搭載し、放送中の最新の番組を所定時間分だけ記録しつつ、記録中の番組を再生して（以下、「追っかけ再生」という。）見逃した部分を視聴できる蓄積型のセットトップボックス（ＳＴＢ）を有するＴＶ受信装置が登場している。
【０００３】
図１９は、従来の映像記録再生装置の記録媒体にリピート記録された映像データを模式的に示した図である。映像データは、ブロック単位のファイル、例えば５分間ごとのファイルとして記録、削除が行われる。ここで、リピ−ト記録される指定時間を９０分間とすると、記録中のファイルと最新の映像データの９０分／５分＝１８（ブロック）のファイルとが記録され、録画から９０分を経過したファイルから順に削除される。
【０００４】
今、記録ポイントがブロック２０のファイルにあるとき、ブロック１のファイルは削除されている。
この際、ブロック２のファイルの映像データの追っかけ再生がなされると、再生指示が通常の再生であるときには、記録ポイントの移動とともに再生ポイントも移動するので、記録ポイントがブロック２１（図示せず）に移り、ブロック２のファイルが削除されるときには、再生ポイントはブロック３のファイルに移っており、映像データの再生に不都合はない。
【０００５】
なお、この従来例では、映像データが複数のブロック単位で記録、削除が行われていると説明したけれども、映像データを１つのファイルとして記録していき、指定時間を経過した古い録画部分に最新の映像データを上書きすることで古いブロックのファイルの削除に替えてもよい。
【０００６】
【発明が解決しようとする課題】
ところが、ブロック２のファイルの映像データの追っかけ再生指示がスロー再生のような特殊再生のときには、時間の経過とともに記録ポイントがブロック２１に移り，ブロック２のファイルが削除されるときに再生ポイントがブロック３のファイルに移動せず、ブロック２のファイルにあれば、再生を継続することができない不都合が生じる。これは、スロー再生だけでなく、ポーズ再生や巻き戻し再生のような特殊再生でも生じる。
【０００７】
この場合、再生している出力映像は、再生可能なブロック３のファイルまで飛んでしまう。この不都合を回避するため、ブロック２のファイルの削除を中止するようにすると、リピート記録の指定時間を無制限に超えて映像データを記録媒体に記録することになる。
また、１つのファイルに映像データを上書きするようにしている場合に、再生ポイントに記録ポイントが追いつき、同様の不都合が生じたとき、上書きを中止することになれば、リピート記録の停止指示がないにも拘わらず、映像データの記録が停止されてしまう。
【０００８】
また、早送り再生をして現在の記録ポイントに再生ポイントが追いついてしまうことがある。この場合、記録媒体への映像データの記録と、記録媒体からの映像データの読み出しとが錯綜する。
本発明は、上記課題に鑑みなされたものであって、リピート記録の指定時間分は、ポーズ再生等の特殊再生を含めて再生が可能となり、また、無制限に指定時間を超えて映像データを記録したり、再生ポイントに記録ポイントが追いつくことを防止できる映像記録再生装置及びその方法を提供することを目的とする。
【０００９】
本発明の副次的な目的は、記録直後の映像データを早送り再生して、記録ポイントと再生ポイントとが一致することを防止できる映像記録再生装置及びその方法を提供することである。
【００１０】
【課題を解決するための手段】
上記課題を解決するため、本発明は、映像データを記録媒体に記録しながら、当該記録媒体に記録済みの映像データを追っかけ再生する映像記録再生装置であって、映像記録手段と、複数の再生モードに設定可能で、設定されたモードで再生する再生手段と、前記記録媒体上における記録進行中の位置と再生進行中の位置との関係から、再生モードを制限すべきか否かを判定する判定手段と、再生モードを制限すべきと判定された場合、前記再生手段に対し設定可能な再生モードを制限する再生制御手段とを備えることとしている。
【００１１】
【発明の実施の形態】
以下、本発明に係る映像記録再生装置の実施の形態について図面を用いて説明する。
（実施の形態１）
図１は、本発明に係る映像記録再生装置の実施の形態１の構成図である。
【００１２】
この映像記録再生装置１０１は、外部のハードディスク等からなる記録媒体１２１と接続されており、ユーザＩ／Ｆ処理部１０２と、通常記録制御部１０３と、リピート記録制御部１０４と、映像データ受信部１０５と、映像データ記録部１０６と、再生制御モード設定部１０７と、ファイル削除処理部１０８と、通常再生制御部１０９と、特殊再生制御部１１０と、再生制御モード確認部１１１と、映像データ再生部１１２と、映像出力部１１３とを備えている。
【００１３】
ユーザＩ／Ｆ処理部１０２は、ユーザからの記録指示を受け付け、通常の記録であれば通常記録制御部１０３に、リピート記録であればリピート記録制御部１０４に記録指示をする。
ここで、リピート記録とは、予定された時間分の最新の映像データが記録されているように予定時間を経過した映像データを消去しながら記録することをいう。
【００１４】
リピート記録の指示の場合には、ユーザから指定時間を受け付ける。この指定時間とは、ユーザの追っかけ再生時に、現在時刻以前の指定時間の間に記録された映像データの再生をユーザが特殊再生を含めて自由に指示できる時間をいう。なお、特殊再生とは、標準再生以外の早送り、巻き戻し、ポーズ、スローの再生をいう。
【００１５】
ここで、追っかけ再生とは、現在リピート記録している映像データを再生することをいう。
ユーザ　Ｉ／Ｆ処理部１０２は、ユーザから指定されたリピート記録の指定時間をリピート記録制御部１０４に通知する。また、リピート記録の停止指示を受けたときは、リピート記録制御部１０４にその旨通知する。
【００１６】
ユーザＩ／Ｆ処理部１０２は、ユーザから再生ポイントと再生指示とを受けると、通常再生（標準再生）であれば通常再生制御部１０９に、特殊再生であれば特殊再生制御部１１０に、追っかけ再生のときは更に再生制御モード確認部１１１にそれぞれ再生ポイントと再生指示とをする。なお、本願の主題は、追っかけ再生であるので、以下、ユーザＩ／Ｆ処理部１０２がユーザから受ける指示は、追っかけ再生であるものとする。
【００１７】
なお、再生ポイントは、例えば、何分前の映像から再生するかの指示とする。
通常記録制御部１０３は、通常の映像データの記録指示をユーザＩ／Ｆ処理部１０２から通知されると、映像データ記録部１０６を制御し、映像データ受信部１０５で受信された映像データを記録媒体１２１に記録させる。
リピート記録制御部１０４は、ユーザＩ／Ｆ処理部１０２からリピート記録の指定時間とリピート記録指示の通知を受けると、映像データ記録部１０６に一定時間単位、例えば５分間の映像データが記録できるファイルを記録媒体１２１に開き、映像データ受信部１０５で受信された映像データを当該ファイルに記録するよう指示する。また、ユーザＩ／Ｆ処理部１０２からリピート記録の停止の指示を受けると、映像データ記録部１０６に継続中の記録媒体１２１への映像データの記録の停止を指示する。
【００１８】
リピート記録制御部１０４は、映像データ記録部１０６に映像データの記録を指示した際に、再生制御モード設定部１０７に記録された各ファイルごとに再生制御モードを設定するよう指示する。このとき映像データの記録が開始されたファイルには、全再生可能モードを設定するよう指示する。また、リピート記録制御部１０４は時計を有し、映像データの記録を終了してから指定時間が経過したファイルには、全再生可能モードから再生制限モードに設定を変更するよう指示する。このとき、既に再生制御モードを設定していたファイルについては、後述のようにファイルが削除されるので、再生制御モードの記録を削除するよう同様に指示する。
【００１９】
更に、リピート記録制御部１０４は、再生制御モード設定部１０７に全再生可能モードから再生制限モードに設定を変更するよう指示したとき、ファイル削除処理部１０８に、それ以前に再生制限モードが設定されていたファイルを削除するよう指示する。即ち、映像データの記録を終了してから指定時間に一定時間を加えた時間が経過したファイルを削除することをファイル削除処理部１０８に指示する。
【００２０】
映像データ受信部１０５は、例えば、放送番組として放送局から送信されてくる映像データを受信し、映像データ記録部１０６に通知する。
映像データ記録部１０６は、通常記録制御部１０３から記録指示の通知を受けると、映像データ受信部１０５から通知された映像データを記録媒体１２１に記録する。
【００２１】
映像データ記録部１０６は、リピート記録制御部１０４からファイルを開いて映像データを記録するよう指示を受けると、記録媒体１２１に一定時間の映像データが記録できる記録領域に識別子を付したファイルを開き、当該ファイルに映像データ受信部１０５から通知される映像データを記録する。当該ファイルの記録が終了すると、次の識別子を付したファイルを開き、当該ファイルに映像データを記録する。映像データ記録部１０６は、リピート記録制御部１０４から記録停止の指示を受けるまで、この処理を継続する。
【００２２】
再生制御モード設定部１０７は、リピート記録制御部１０４から再生制御モードを設定するよう指示されると、記録媒体１２１に再生モードテーブルを記録する。
図２は、リピート記録開始直後の再生モードテーブルの一例を示す図である。再生モードテーブル２０１には、ファイルごとの再生制御モードが記録され、ファイル識別子欄２０２と再生制御モード欄２０３とが設けられている。リピート記録開始直後には、映像データの記録が開始されたファイルに全再生可能モードを設定するようリピート記録制御部１０４から指示されているので、再生制御モード欄２０３には、全再生可能モードが記録される。なお、ファイル識別子欄２０２には、映像データが記録されたファイルを識別するファイル識別子が記録される。
【００２３】
図３は、「ブロック１」で識別される映像データが指定時間を経過した直後の再生モードテーブルを示す図である。
再生モードテーブル３０１において、ファイル識別子「ブロック１」で識別されるファイルの再生制御モードは、リピート記録制御部１０４から変更指示を受けた再生制御モード設定部１０７により「再生制限モード」に更新されている。「ブロック２」〜「ブロック２０」で識別されるファイルは、指定時間を経過していないので、「全再生可能モード」が記録されている。なお、このとき、映像データ記録部１０６は、記録媒体１２１に「ブロック２０」のファイルを開き、映像データを記録している。
【００２４】
更に、一定時間が経過すると、再生モードテーブル４０１は、図４に示すように更新される。映像データ記録部１０６によって、記録媒体１２１に「ブロック２１」で識別されるファイルが開かれ、映像データが記録されている。
映像データの記録を終了してから指定時間の経過した「ブロック２」で識別されるファイルの再生制御モードは、「再生制限モード」に変更されている。また、再生モードテーブル４０１では、「ブロック１」で識別されるファイルについての再生制御モードの記録も削除されている。
【００２５】
ファイル削除処理部１０８は、リピート記録制御部１０４から映像データの記録を終了してから指定時間に一定時間を加えた時間が経過したファイルの削除指示を受けると、記録媒体１２１に記録された当該ファイルを削除する。
通常再生制御部１０９は、ユーザＩ／Ｆ処理部１０２から再生ポイントと再生指示との通知を受けると、映像データ再生部１１２に再生ポイントを通知する。また、再生制御モード確認部１１１から通常再生（標準再生）の指示を受けると、映像データ再生部１１２にその旨を通知する。
【００２６】
特殊再生制御部１１０は、ユーザＩ／Ｆ処理部１０２から特殊再生、例えば、早送り再生、巻き戻し再生、ポーズ、スロー再生（右送り）、スロー再生（巻き戻し）の指示を受けると、映像データ再生部１１２にその旨を通知する。また、再生制御モード確認部１１１から早送り再生の指示を受けると、映像データ再生部１１２にその旨を通知する。この際、再生制御モード確認部１１１から早送り再生の速度についての指定を受けたときにも、その再生速度を映像データ再生部１１２に通知する。
【００２７】
再生制御モード確認部１１１は、ユーザＩ／Ｆ処理部１０２から再生ポイントの通知を受けると、再生ポイントの属するファイルの再生制御モードが全再生可能モードであることを記録媒体１２１に記録された再生モードテーブルを参照して確認する。この確認の後、再生制御モード確認部１１１は、映像出力部１１３に再生中の映像の一部に重ねて、ユーザの再生モードの選択のために図５に示すような、モード選択画面を表示するよう指示する。
【００２８】
モード選択画面５０１には、選択可能な再生モードを選択するための記号が表示されている。記号５０２は巻き戻し再生を、記号５０３はスロー再生（巻き戻し）を、記号５０４はポーズを、記号５０５は停止を、記号５０６はスロー再生（右送り）を、記号５０７は標準再生を、記号５０８は早送り再生をそれぞれ示している。
【００２９】
ユーザは、このうちのいずれかの記号を選択して、再生モードを決定することができる。ただし、記号５０４は、停止指示の記号であり、選択されると再生が停止される。
再生制御モード確認部１１１は、映像データ再生部１１２から現在再生中の再生ポイントの通知を受けると、再生ポイントの属するファイルの再生制御モードが再生制限モードであるか全再生可能モードであるかを、記録媒体１２１に記録された再生モードテーブル（図４等）を参照して判定する。全再生可能モードであると判定したときは、何の処理もしない。再生制限モードであると判定したときは、警告部１１４にその旨通知する。併せて、再生制御モード確認部１１１は、映像出力部１１３に、選択可能な再生モードを外部のモニターが表示するよう、図７に示すようなモード選択画面を通知する。
【００３０】
モード選択画面７０１には、通常再生（標準再生）モードと早送り再生モードとをそれぞれ示す記号７０２，７０３とが表示されている。
再生制御モード確認部１１１は、モード選択画面７０１が外部のモニターに表示された後、所定の時間後、例えば、１分後にユーザの再生モードの選択が通知されない場合に、デフォルトで標準再生をするよう通常再生制御部１０９に指示する。なお、この際、当該ファイルがファイル削除処理部１０８により削除されるまでの間に映像データ再生部１１２で現在の再生ポイントから当該ファイルの映像データを全て読み出して再生するのに標準再生では不可能な場合には、デフォルトで早送り再生するよう特殊再生制御部１１０に指示するとともに、当該ファイルが削除されるまでの時間と再生すべき映像データ量から早送り再生の速度を計算し、特殊再生制御部１１０に早送り再生速度を通知する。
【００３１】
映像データ再生部１１２は、通常再生制御部１０９から再生ポイントと再生指示とを通知されると、記録媒体に記録されている当該再生ポイントを含むファイルから標準再生速度で映像データを読み出し、再生して映像出力部１１３に通知する。
また、映像データ再生部１１２は、特殊再生制御部１１０から特殊再生、例えば、早送り再生の指示を受けると、現在再生中の再生ポイントから早送り再生の速度で映像データをファイルから読み出して再生して映像出力部１１３に通知する。この早送り再生の際、再生速度が通知されているときは、その速度で早送り再生する。
【００３２】
更に、映像データ再生部１１２は、記録媒体１２１の映像データを読み出しているファイルの再生ポイントを再生制御モード確認部１１１に通知する。
映像出力部１１３は、映像データ再生部１１２から通知された再生された映像を外部のモニターに出力する。この際、再生制御モード確認部１１１からモード選択画面５０１または７０１が通知されているときには、再生された映像の一部に重ねて表示されるように出力する。同様に、警告部１１４から警告画面６０１が通知されているときには、外部のモニターの映像画面６０２に警告画面６０１が表示されるように出力する。
【００３３】
警告部１１４は、再生制御モード確認部１１１から現在再生中の映像が記録されたファイルに再生制限モードが設定されていることを通知されると、映像出力部１１３に図６に示すような警告画面６０１を表示するよう指示する。
なお、モード選択画面７０１は、警告画面６０１の表示の後に表示される。
また、警告部１１４は、警告画面６０１と併せて、外部のスピーカに「早送り再生以外の特殊再生ができない旨」を音声出力する。
【００３４】
外部の記録媒体１２１は、ハードディスクやＤＶＤ−ＲＡＭ等の大容量の書き換え可能な記録媒体で構成される。
図８は、外部の記録媒体１２１に映像データ記録部１０６により記録された映像データを模式的に示す図である。リピート記録の指定時間は「９０分」であり、各ファイルの記録時間は矢符８０１で示す時間の流れに沿う一定時間の「５分」である。各ファイルには、「ブロック１」〜「ブロック２２」で示すような識別子が付されている。なお、「ブロック１」は削除されており、「ブロック２２」はまだ開かれていない。図８に示す各ファイルの再生制御モードは、図４に示した再生モードテーブルに設定されたものであり、説明のため、各ファイルの右側に記載している。
【００３５】
映像データの記録開始から矢符８０１で示す時間の流れに沿い、各ファイルに映像データが記録され、矢符８０２で示す時間の流れに沿ってファイル単位の映像データが記録されたことを示している。
今、映像データ記録部１０６によって「ブロック２１」で識別されるファイルに映像データの記録ポイント８０３があるとき、ユーザがユーザＩ／Ｆ処理部１０２に「９０分前」を再生ポイントとして指定した映像再生の指示をした場合について説明する。
【００３６】
再生ポイント８０４は「ブロック３」で識別されるファイルにあり、再生制御モードは全再生可能モードであるので、特殊再生の例えば「巻き戻し再生」も可能である。ユーザが巻き戻し再生の指示をしたとき、「ブロック３」で識別されるファイルから再生制限モードの「ブロック２」で識別されるファイルに再生ポイント８０４が移動する。この際、この巻き戻し再生を続けると、記録ポイント８０３が「ブロック２２」で識別されるファイルに移動したとき、「ブロック２」で識別されるファイルが削除され、再生ポイント８０４で示される映像データがなくなることになる。このため、再生ポイント８０４が「ブロック２」で識別されるファイルに移動した際、警告部１１４によって作成された警告画面６０１が外部のモニターに映像画面６０２の一部に重ねて表示される。これによって、ユーザは、早送り再生又は標準再生のみが許容されていることを知る。ユーザが標準再生モードを選択すると、再生ポイント８０４は、「ブロック２２」で識別されるファイルから「ブロック３」で識別されるファイルに移動して映像データの再生が続けられる。従って映像データの再生が途切れることはない。
【００３７】
また、警告部１１４の警告にも拘わらず、ユーザが再生モードの選択をせず、巻き戻し再生の結果、再生ポイント８０４が「ブロック２」で識別されるファイルの先頭方向に移動した際には、「ブロック２」で識別されるファイルがファイル削除処理部１０８で削除されるまでの間に再生ポイント８０４を「ブロック２」から「ブロック３」で識別されるファイルまで移動するような早送り再生の速度で映像データを読み出し、再生するようにしている。これによって、再生ポイント上の映像データがなくなることはなく、映像が飛んでしまうことを防止することができる。
【００３８】
次に、本実施の形態の動作を図９と図１０に示すフローチャートを用いて説明する。
図９は、リピート記録の動作を説明するフローチャートである。
先ず、リピート記録制御部１０４は、ユーザＩ／Ｆ処理部１０２からリピート記録の指定時間の通知を待ち（Ｓ９０２）、指定時間を通知されると、映像データ記録部１０６に映像データの記録を指示し、再生制御モード設定部１０７に再生モードテーブルの記録を指示する。
【００３９】
映像データ処理部１０６は、外部の記録媒体１２１に識別子を付したファイルを開く（Ｓ９０４）。
再生制御モード設定部１０７は、再生モードテーブルを記録する（Ｓ９０６）。　映像データ記録部１０６は、開いた一定時間分のファイルに映像データ受信部１０５で受信された映像データを記録する（Ｓ９０８）。ファイルに一定時間分の映像データを記録するまでこの処理を続ける（Ｓ９１０）。
【００４０】
リピート記録制御部１０４は、最先のファイルの記録終了から指定時間を加えた時間が経過したか否かを判定する（Ｓ９１２）。経過していなければ、Ｓ９０４に戻り、経過していれば、再生制御モード設定部１０７に再生制御モードの更新を指示する。
再生制御モード設定部１０７は、ファイルの記録終了から指定時間を経過した最先に記録したファイルの再生制御モードに再生制限モードを設定し、記録する（Ｓ９１４）。
【００４１】
次に、リピート記録制御部１０４は、最先に記録したファイルの記録終了から指定時間に一定時間の２倍を加えた時間が経過したか否かを判定する（Ｓ９１６）。経過していなければＳ９０４に戻り、経過しているときは、ファイル削除処理部１０８にファイル削除を指示する。
ファイル削除処理部１０８は、最先に映像データを記録したファイルを削除して（Ｓ９１８）、Ｓ９０４に戻る。
【００４２】
なお、この処理は、リピート記録制御部１０４がユーザＩ／Ｆ処理部１０２からリピート記録の停止指示を受けるまで続けられる。
図１０は、追っかけ再生の動作を説明するフローチャートである。
先ず、ユーザＩ／Ｆ処理部１０２は、ユーザから再生ポイントの指定されるのを待ち（Ｓ１００２）、再生制御モード確認部１１１に再生ポイントを通知する。
【００４３】
再生制御モード確認部１１１は、再生ポイントの属するファイルの再生制御モードが全再生可能モードか否かを再生モードテーブルを参照して判定する（Ｓ１００４）。全再生可能モードであれば、特殊再生を含めた再生モードをモード選択画面として映像出力部１１３から出力させ、モニターに表示させる（Ｓ１００６）。
【００４４】
ユーザＩ／Ｆ処理部１０２は、再生モード指定を待ち（Ｓ１００８）、標準再生であれば、通常再生制御部１０９に、特殊再生であれば、特殊再生制御部１１０にそれぞれ再生モードを指示する。
映像データ再生部１１２は、外部の記録媒体１２１のファイルに記録された映像データを再生ポイントから読み出し、指定された再生モードで映像を再生し（Ｓ１０１０）、映像出力部１１３に通知する。
【００４５】
映像出力部１１３は、外部のモニターに映像を出力し（Ｓ１０１２）、Ｓ１００４に戻る。
Ｓ１００４において、再生ポイントの属するファイルの再生制御モードが再生制限モードであるときには、警告部１１４は、音声出力による警告と、外部のモニターに表示する警告画面とを出力する（Ｓ１０１４）。
【００４６】
再生制御モード確認部１１１は、警告画面に替えて、早送り再生と標準再生モードのモード選択画面を外部のモニターに映像出力部１１３を介して表示させ（Ｓ１０１６）、ユーザからの再生モードの指定を待つ（Ｓ１０１８）。再生モードの指定があれば、Ｓ１０１０に移る。
再生モードの指定がＳ１０１４でした警告の後、所定時間が経過してもないときには（Ｓ１０２０）、再生制御モード確認部１１４が例えば標準再生モードまたは早送り再生モードをデフォルトで決定し、映像データ再生部１１２は、ファイルから映像データを読み出し、決定された再生モードで映像を再生し（Ｓ１０２２）、Ｓ１０１２に移る。
（実施の形態２）
本発明に係る映像記録再生装置の実施の形態２の構成は、図２に示した実施の形態１の構成図からファイル削除処理部１０８を除外したものである。上記実施の形態の構成と異なる本実施の形態固有の構成部分について説明する。
【００４７】
リピート記録制御部１０４は、ユーザＩ／Ｆ処理部１０２からリピート記録の指定時間を通知されると、映像データ記録部１０６に記録媒体１２１に一のファイルを開き、映像データを記録するよう指示する。リピート記録制御部１０４は、時計を有し、映像データ記録部１０６が映像データの記録を開始してからの時間を計時し、指定時間に一定時間を加えた時間、例えば９０分に５分を加えた９５分が経過するまでの間、再生制御モード設定部１０７にこの間に記録された映像データの領域の再生制御モードに全再生可能モードを設定するように指示する。更に一定時間が経過するまでの間は、最先に記録した指定時間に一定時間を加えた時間が経過した後の映像データの領域の再生制御モードに再生制限モードを設定するよう指示する。即ち、指定時間が９０分であり、一定時間を５分としたとき、映像データの記録開始から９５分を経過し、１００分になるまでの間、９５分を経過した後の映像データの領域には再生制限モードを設定し、９５分を経過するまでの映像データの領域には全再生可能モードを設定するよう再生制御モード設定部１０７に指示する。このような指示を一定時間ごとに再生制御モード設定部１０７に行う。
【００４８】
また、リピート記録制御部１０４は、指定時間に一定時間の２倍の時間を加えた時間の経過した映像データが記録された領域に新たに記録する映像データを記録するように映像データ記録部１０６に指示する。
即ち、映像データの記録から１００分が経過した古い映像データに新たに記録する映像データを上書きするように映像データ記録部１０６に指示する。
【００４９】
映像データ記録部１０６は、リピート記録制御部１０４からリピート記録の指示を受けると、記録媒体１２１に一のファイルを開き、映像データ受信部１０５で受信された映像データを記録する。また、リピート記録制御部１０４から映像データの上書きをするよう指示されると、最先に記録した古い映像データに新たに映像データ受信部１０５で受信された映像データを上書きする。
【００５０】
再生制御モード設定部１０７は、リピート記録制御部１０４から再生制御モードである全再生可能モードと再生制限モードとの通知を受けると、記録媒体１２１のファイルに記録された映像データの領域に対応して全再生可能モードと再生制限モードとを設定する。なお、この再生制御モードの更新は、指定時間の経過後、一定時間ごとに行われる。
【００５１】
図１１（ａ）〜（ｇ）は、記録媒体１２１に記録された映像データの経時的な変化を模式的に示した図である。
映像データの記録開始から指定時間「９０分」に一定時間「５分」を加えた９５分までの間は、図１１（ａ）〜図１１（ｃ）に示すように最初に記録された映像データから記録ポイント１１０１，１１０２，１１０３までの映像データは、全ての領域１１１１に全再生可能モードが設定される。
【００５２】
図１１（ｄ）、図１１（ｅ）に示すように、映像データの記録開始から指定時間に一定時間を加えた時間「９５分」を超え、指定時間に一定時間の２倍を加えた時間「１００分」までは、最初に記録された５分間の映像データの領域１１１２に再生制限モードが設定され、残余の記録ポイント１１０４，１１０５までの領域１１１３に全再生可能モードが設定されている。
【００５３】
図１１（ｆ）に示すように、指定時間に一定時間の２倍を加えた時間「１００分」を超え、更に一定時間が経過する「１０５分」までは、最初に記録された５分間の映像データの領域に記録ポイント１１０６が移動し、順次、最新に受信された映像データが記録され、映像データの記録開始から「５分」から「１０分」の領域１１１４に再生制限モードが設定され、映像データの記録開始から「１０分」を超え、記録ポイント１１０６までの領域１１１５に全再生可能モードが設定される。
【００５４】
次に、図１１（ｇ）に示すように、映像データの記録開始から「１０５分」を超え「１１０分」までの間は、映像データの記録開始から「１５分」を超え記録ポイント１１０７までの領域１１１６に全再生可能モードが設定され、映像データの記録開始から「１０分」を超え、「１５分」までの間の領域１１１７に再生制限モードが設定される。
【００５５】
以後も同様に、一定時間ごとに、再生制限モードが設定される領域が移動していく。
再生制御モード設定部１０７は、上述したように記録媒体１２１にリピート記録された映像データの領域に対応した再生制御モードを再生モードテーブルとして記録媒体１２１に記録する。
【００５６】
図１２は、再生モードテーブルの一例を示す図である。再生モードテーブル１２０１は、アドレス１２０２に対応して再生制御モード１２０３が記録されている。アドレス１２０１は、映像データの記録されたファイルのアドレスを示している。この再生モードテーブル１２０１は、上述した図１１（ｇ）に示した映像データの記録された状態に対応したものである。
【００５７】
全再生可能モードは、アドレス「００００〜１ａ００」と「３ｃ０１からｄ４ｆ０」との２つの領域で設定されており、再生制限モードはアドレス「２ｅ０９〜３ｃ００」の領域で設定されている。これらの再生制御モードは、上述したように一定時間ごとに再生制御モード設定部１０７で更新される。
上記実施の形態１では、再生制御モード確認部１１１は、再生ポイントの属するファイルに再生制限モードが設定されているか全再生可能モードが設定されているかを判定したけれども、本実施の形態では、再生ポイントの属するアドレスで示される領域に再生制限モードが設定されているか全再生可能モードが設定されているかを判定する。
【００５８】
以上のように、上記実施の形態１では、リピート記録処理において、一定時間ごとにファイルを開いて映像データを記録し、ファイル単位で再生制御モードを設定していたけれども、本実施の形態では、１つのファイルの領域をアドレスの記録によって区分し、各領域に再生制御モードを設定することとし、また、古い映像データに新たに受信した映像データを上書きすることによってファイルの削除に換えることとしている。
【００５９】
また、追っかけ再生処理において、上記実施の形態１では、再生ポイントの属するファイルの再生制御モードを判定したけれども、本実施の形態では、再生ポイントの属する領域の再生制御モードを判定することとしている。
本実施の形態と上記実施の形態１とではこれら以外に異なるところはないので、本実施の形態の動作の説明を省略する。
（実施の形態３）
本発明に係る映像記録再生装置の実施の形態３について説明する。
【００６０】
上記実施の形態１，２では、指定された記録時間内であれば、ポーズ再生、スロー再生等の特殊再生を含めて自由に再生モードを選択できるものとして説明している。本実施の形態は、この例外として、録画直後の最新の映像データの再生について、早送り再生を制限するようにしている。なお、本実施の形態は、上記実施の形態１の構成とほぼ同様であるので、図１の構成図を用い、本実施の形態固有の構成について説明する。
【００６１】
リピート記録制御部１０４は、リピート記録指示の通知を受けると、再生制御モード設定部１０７に映像データの記録が開始されたファイルの記録直後の標準再生時間に換算して１秒間を早送り再生禁止領域に、その後の同様の４秒間を早送り再生警告領域に、その後の時間を全再生可能モードに設定するよう指示する。
【００６２】
映像データ記録部１０６は、記録媒体１２１に映像データ受信部１０５で受信された映像データを例えば、約１Ｍバイトのクラスタ単位で記録する。なお、上述の標準再生時間に換算して１秒間の映像データは、この１クラスタの映像データに相当する。
再生制御モード設定部１０７は、リピート記録制御部１０４から再生制御モードを設定するよう指示されると、記録媒体１２１に再生モードテーブルを記録する。
【００６３】
図１３は、指定時間と一定時間とをわずかに経過したときの再生モードテーブルを示している。再生モードテーブル１３００は、図４に示した再生モードテーブル４０１とほぼ同じであるが、現在、映像データ記録部１０６で映像データの記録が行われているブロック２１は、記録終了からの経過時間で３つの領域に区分されている。記録終了からの標準再生時間で０秒〜１秒の間の領域は早送り再生禁止領域とされ、同様に１秒から５秒の領域は早送り再生警告領域とされ、同様に５秒以上が経過した領域は全再生可能モードに区分されている。
【００６４】
再生制御モード設定部１０７は、映像データ記録部１０６が映像データ受信部１０５で受信された映像データをクラスタ単位で記録する毎に、標準再生時間に換算して１秒間が経過したか否かを判定し、早送り再生禁止領域と早送り再生警告領域と全再生可能モードの領域とを記録または更新記録している。図１３の再生モードテーブル１３００では、その区分を経過時間として示したけれども、実際には、記録媒体１２１のアドレスとして示されている。
【００６５】
通常再生制御部１０９は、再生制御モード確認部１１１から通常再生の指示を受けると、映像データ再生部１１２に標準再生速度で記録媒体１２１に記録されている映像データを現在再生中の再生ポイントから読み出すよう指示する。
特殊再生制御部１１０は、再生制御モード確認部１１１から早送り再生の停止を指示されると、映像データ再生部１１２に早送り再生での映像データの読み出しを停止させる。
【００６６】
再生制御モード確認部１１１は、映像データ再生部１１２から現在再生中の再生ポイントの通知を受けると、再生ポイントの属するファイルの再生制御モードが再生制限モードであるか全再生可能モードであるか、再生ポイントが早送り再生警告領域にあるか早送り再生禁止領域にあるかを判定する。
再生制御モード確認部１１１は、再生ポイントのアドレスと再生モードテーブル１３００のアドレスとから早送り再生警告領域にあると判定したときには、警告部１１４にその旨通知する。また、同様に早送り再生禁止領域にあると判定したときには、特殊再生制御部１１０に早送り再生の停止を指示するとともに、通常再生制御部１０９に通常再生の指示をする。併せて、映像出力部１１３に、選択可能な再生モードを外部のモニターが表示するようモード選択画面を通知する。モード選択画面は、図５に示したモード選択画面５０１から早送り再生モードを示す記号５０８を除いたものとなる。
【００６７】
映像データ再生部１１２は、特殊再生制御部１１０から早送り再生での映像データの読み出しの停止指示を受け、通常再生制御部１０９から標準再生速度での読み出し指示を受けると、現在、再生中の再生ポイントから標準再生速度で映像データを読み出し、再生して映像出力部１１３に通知する。
映像出力部１１３は、警告部１１４から警告画面が通知されているときには、外部のモニターの映像画面に通知された警告画面が表示されるように出力する。また、モード選択画面の通知を受けると、同様に、モード選択画面が表示されるように出力する。
【００６８】
警告部１１４は、再生制御モード確認部１１１から現在再生中の映像が記録された領域が早送り再生警告領域である旨の通知を受けると、「早送り再生は禁止されています」と表示した警告画面を映像出力部１１３に通知する。併せて、音声による警告も出力する。
本実施の形態の具体的な追っかけ再生の動作について、図１４に模式的に示した映像データを用いて説明する。
【００６９】
今、ブロック２１に記録ポイント１４０１があるとき、その記録ポイント１４０１の直前の標準再生時間に換算して１秒間の領域が早送り再生禁止領域１４０２であり、その４秒前迄の領域が早送り再生警告領域に設定されている。
ユーザが９０分前の映像データの再生を指示したとき、再生ポイント１４０４は、ブロック３にある。この再生ポイント１４０４では、特殊再生を含めて全ての再生モードが可能である。ユーザが再生ポイント１４０４を移動させ（例えば１０分前の映像を指示し）、早送り再生を選択し、時間の経過とともに、図１５に示すように、記録ポイント１５０１が進み、再生ポイント１５０２が早送り再生警告領域１５０３に達する。
【００７０】
この際、再生制御モード確認部１１１は、再生ポイント１５０２が早送り再生警告領域１５０３にあると判定し、警告部１１４に早送り再生が禁止されている旨を通知する。これを受け、図１６に示すように、外部のモニターには、映像画面１６０１の一部に「早送り再生は禁止されています」と表示した警告画面１６０２が表示される。
【００７１】
この後、早送り再生の結果、再生ポイント１５０２が早送り再生禁止領域１５０４に達する。
再生制御モード確認部１１１は、再生ポイント１５０２が早送り再生禁止領域にあると判定する。これを受け、映像データ再生部１１２は、記録媒体１２１からの映像データを標準再生速度で読み出し再生して映像出力部１１３に出力する。映像出力部１１３は、警告画面１６０２に換えて、モード選択画面を映像画面の一部に表示させる。ここでのモード選択画面は上述したように、早送り再生が禁止されているので、図５に示したモード選択画面５０１から早送り再生の記号５０８を除いたものである。ユーザは、再生モードとして早送り再生以外の再生モードを選択することができる。
【００７２】
このように、記録ポイント直後に早送り再生の禁止領域を設けることによって、記録媒体１２１への受信された映像データの記録と記録媒体１２１からの映像データの読み出しとが錯綜することを防止することができる。
次に、本実施の形態の動作を図１７、図１８のフローチャートを用いて説明する。
【００７３】
図１７は、早送り再生禁止領域、早送り再生警告領域を設定する動作を説明するフローチャートである。なお、実施の形態１の図９に示したフローチャートのＳ９０６までと、Ｓ９１２以下の動作は上記実施の形態１と同様であるので、その説明を省略する。
映像データ記録部１０６は、映像データ受信部１０５で受信された映像データをファイルにクラスタ単位で記録する（Ｓ１７０２）。
【００７４】
再生制御モード設定部１０７は、映像データの記録から１秒が経過するのを待ち（Ｓ１７０４）、再生モードテーブル１３００に早送り再生禁止領域のアドレスを設定する（１７０６）。
映像データ記録部１０６は、映像データ受信部１０５で受信された映像データをファイルにクラスタ単位で記録する（１７０８）。
【００７５】
再生制御モード設定部１０７は、早送り再生禁止領域の設定又は更新から一秒が経過するのを待ち（Ｓ１７１０）、最初の早送り再生禁止領域の設定から５秒が経過したか否かを判定する（Ｓ１７１２）。
再生制御モード設定部１０７は、経過前のときには、再生モードテーブル１３００に早送り再生禁止領域と、早送り再生警告領域のアドレスの設定又は更新をし（Ｓ１７１４）、Ｓ１７０８に戻る。５秒が経過しているときには、再生モードテーブル１３００に早送り再生禁止領域、早送り再生警告領域、全再生可能モードのアドレスの設定又は更新をする（Ｓ１７１６）。
【００７６】
次に、映像データ記録部１０６は、ファイルの記録が終了したか否かを判定し（Ｓ１７１８）、終了していればＳ９１２に移り、終了していなければＳ１７０８に戻る。
次に、追っかけ再生時の動作を図１８のフローチャートを用いて説明する。
ユーザＩ／Ｆ処理部１０２は、ユーザから再生ポイントの指定されるのを待ち（Ｓ１８０２）、再生制御モード確認部１１１に再生ポイントを通知する。
【００７７】
再生制御モード確認部１１１は、再生ポイントが早送り再生警告領域にあるか否かを判定する（Ｓ１８０４）。なければ、再生モードを表示させ（Ｓ１８０６）、再生モードの選択を待つ（Ｓ１８０８）。
映像データ再生部１１２は、記録媒体１２１のファイルから再生ポイントで示される映像データを読み出し、選択された再生モードで映像を再生する（Ｓ１８１０）。
【００７８】
映像出力部１１３は、外部のモニタに映像を出力し（Ｓ１８１２）、Ｓ１８０４に戻る。
Ｓ１８０４において、再生ポイントが早送り再生警告領域にあるとき、警告部１１４は、早送り再生が禁止されている旨の音声出力と映像画面の一部に警告画面とを出力する（Ｓ１８１４）。
【００７９】
再生制御モード確認部１１１は、再生ポイントが早送り再生禁止領域に入るのを待つ（Ｓ１８１６）。
映像データ再生部１１２は、再生ポイントのある映像データを記録媒体１２１のファイルから標準再生速度で読み出し再生する（Ｓ１８１８）。
再生制御モード確認部１１１は、映像出力部に早送り再生を除く再生モードを表示させ（Ｓ１８２０）、ユーザからの再生モードの選択を待ち（Ｓ１８２２）、Ｓ１８１０に移る。
【００８０】
なお、本実施の形態において、早送り再生禁止領域を記録ポイントから標準再生時間に換算して１秒間の映像データの領域としたけれども、１秒間に拘ることはなく、記録ポイントから例えば、１分間であってもよい。同様に、早送り再生警告領域を記録ポイントから標準再生時間に換算して１秒〜５秒の間の映像データの領域としたけれども、例えば、１分から５分の間としてもよい。
【００８１】
また、本実施の形態の説明を実施の形態１のような一定時間に区切られたファイルに映像データを記録する場合について説明したけれども、実施の形態２のような一のファイルに連続して映像データを記録する場合にも、適用できることは勿論である。
なお、上記各実施の形態では、リピート記録の指定時間をユーザが入力することとしたけれども、ユーザが番組の記録を指定したとき、当該番組によって、番組の放送時間より短い指定時間が決定されることとしてもよい。このようにすることで、番組全体を記録できないようにして、著作権を保護するとともに、見逃した場面を見ることのできる追っかけ再生を実現することができる。
【００８２】
また、上記実施の形態では、図２にその構成図を示したけれども、各構成要素の機能をコンピュータに発揮させるプログラムで実現するようにしてもよい。更に、当該プログラムをコンピュータ読み取り可能な記録媒体に記録し、従来の映像記録再生装置に当該機録媒体を適用して、追っかけ再生で映像の途切れることのない映像記録再生装置を得るようにしてもよい。
【００８３】
【発明の効果】
以上説明したように、本発明は、映像データを記録媒体に記録しながら、当該記録媒体に記録済みの映像データを追っかけ再生する映像記録再生装置であって、映像記録手段と、複数の再生モードに設定可能で、設定されたモードで再生する再生手段と、前記記録媒体上における記録進行中の位置と再生進行中の位置との関係から、再生モードを制限すべきか否かを判定する判定手段と、再生モードを制限すべきと判定された場合、前記再生手段に対し設定可能な再生モードを制限する再生制御手段とを備えることとしている。
【００８４】
また、前記判定手段は、記録媒体上の記録済領域を、記録進行中の位置に対する記録時間差の大小に応じて、許容される再生モードの異なる領域に分類する分類部と、再生進行中の位置が、前記分類部で分類されたいずれの領域に存在するかを求め、再生モードを制限すべきか否かの判定を行う判定部とを有することとしている。このような構成によって、記録媒体に記録された映像データの再生ポイントが再生モードに制限がある領域にあるときには、その領域で許容される再生モードで映像データの読み出し、再生が行われるので、映像が飛ぶようなことが防止される。
【００８５】
また、前記映像記録手段は、映像データを一定時間長のファイルに区切って前記記録媒体に記録する第１映像記録部を有し、前記分類部は、前記第１映像記録部で既に記録された各ファイルを各ファイルの位置と記録進行中の位置との時間軸上での時間差で分類し、時間差が指定された記録時間内にある領域の各ファイルを第１ファイル群と、時間差が指定された記録時間を超えた一定時間内にある領域のファイルを第２ファイルと、時間差が指定された記録時間に一定時間を加えた時間を超えた時間にある領域のファイルを第３ファイルとに分類するファイル分類部を有し、前記判定部は、再生領域が第２ファイルか否かを判定するファイル判定部を有し、前記再生制御手段は、前記ファイル判定部で前記第２ファイルと判定されたとき、前記再生手段の再生モードを早送り再生または標準再生に制御することとしている。
【００８６】
また、前記映像記録手段は、映像データを指定された記録時間に一定時間を加えた時間長の一のファイルに記録する第２映像記録部を有し、前記分類部は、
前記第２映像記録部で、既に記録されたファイルの領域を領域の位置と記録進行中の位置との時間軸上での時間差で分類し、時間差が指定された記録時間内にある領域を第１領域と、時間差が指定された記録時間を超え、一定時間内にある領域を第２領域とに分類する領域分類部を有し、前記判定部は、再生領域が第２領域か否かを判定する領域判定部を有し、前記再生出制御手段は、前記領域判定部で前記第２領域と判定されたとき、前記再生手段の再生モードを早送り再生または標準再生に制御することとしている。このような構成によって、指定された記録時間を超える一定時間の映像データを記録することによって、既に記録された映像データの記録終了から指定された記録時間を経過したときでも、指定された記録時間内の映像データの追っかけ再生によって映像が飛ぶことを防止することができる。
【００８７】
また、前記ファイル分類部で第３ファイルと分類されたファイルを削除する削除手段を更に備えることとしている。
また、前記第２映像記録部は、時間差が指定された記録時間に一定時間の２倍を加えた時間の前記ファイルの領域に最新の映像データを上書きすることとしている。このような構成によって、無制限に映像データを記録して追っかけ再生の映像が飛ぶことを防止するのではなく、一定の時間だけ、余分に映像データを記録するだけで追っかけ再生での不都合を防止できる。
【００８８】
また、前記第１ファイル群の再生指示を受け付ける指示受付手段を更に備え、前記再生手段は、指示された第１ファイル群のファイルに記録された映像データを読み出し、特殊再生を含めて再生して出力し、前記再生手段が前記第２ファイルに記録された映像データの読み出しに移行するとき、早送り再生以外の特殊再生の再生モードが禁止されていることを警告する警告手段を更に備えることとしている。
【００８９】
また、前記ファイルの第１領域に記憶された映像データの再生指示を受け付ける指示受付手段を更に備え、前記再生手段は、指示された第１領域に記録されたデータを読み出し、特殊再生を含めて再生して出力し、前記再生手段が前記ファイルの第２領域に記録された映像データの読み出しに移行するとき、早送り再生以外の特殊再生が禁止されていることを警告する警告手段を更に備えることとしている。このような構成によって、指定された記録時間内の映像データの再生から指定された記録時間の経過した映像データの再生へ移るとき、映像が飛ぶ原因となる特殊再生のできないことをユーザに知らせることができる。
【００９０】
また、前記警告手段は、外部のモニターに出力可能な再生モードを表示して、ユーザの選択を受け付けるモード受付部を有し、前記再生手段は、モード受付部で選択された再生モードに従い、前記第２ファイルに記録された映像データを読み出し、再生出力することとしている。
また、前記警告手段は、外部のモニターに出力可能な再生モードを表示して、ユーザの選択を受け付けるモード受付部を有し、前記再生手段は、モード受付部で選択された再生モードに従い、前記ファイルの第２領域に記憶された映像データを読み出し、再生出力することとしている。このような構成によって、指定された記録時間を経過した一定時間に記録された映像データの再生も可能としている。
【００９１】
また、前記モード受付部が所定時間内に再生モードの選択を受け付けなかったとき、前記再生手段は、前記第２ファイルの映像データを読み出し、デフォルトの再生モードで再生出力することとしている。
また、前記モード受付部が所定時間内に再生モードの選択を受け付けなかったとき、前記再生手段は、前記第２領域の映像データを読み出し、デフォルトの再生モードで再生出力することとしている。このような構成によって、ユーザが再生モードを指定しないときでも、映像を途切れさせることなく再生することができる。
【００９２】
また、前記デフォルトの再生モードは、標準再生であることとしている。このような構成によって、標準再生により、指定された記録時間が経過した映像データから指定された記録時間内の映像データに追っかけ再生の再生ポイントを戻すことができる。
また、前記デフォルトの再生モードは、前記第２ファイルが前記ファイル分類部で第３ファイルに分類され、前記削除手段で削除されるまでの時間に当該第２ファイルから映像データを読み出して再生する速度の早送り再生であることとしている。
【００９３】
また、前記デフォルトの再生モードは、前記ファイルの第２領域が前記第２映像記録部で最新の映像データを上書きされるまでの時間に当該ファイルの第２領域から映像データを読み出して再生する速度の早送り再生であることとしている。このような構成によって、確実に指定された記録時間内の映像データの再生に戻ることができ、映像を途切れさせることが防止される。
【００９４】
また、前記警告手段は、外部のスピーカに早送り再生以外の特殊再生の再生モードが選択できない旨を音声で出力させることとしている。このような構成によって、ユーザは追っかけ再生の映像を途切れさせることを防止することができる。
本発明は、また、前記映像記録手段は、映像データを受信する受信部と、前記受信部で受信された映像データを所定のサイズの単位映像データとして前記記録媒体に記録する単位映像記録部とを有し、前記分類部は、前記単位映像記録部で記録された記録直後の単位映像データの記録領域を特定再生モードでの再生を禁止する特定再生モード禁止領域と、この特定再生モード禁止領域以前の残余の単位映像データ群の記録領域を全ての再生モードを許容する全再生モード領域とに分類する第１分類部を有し、前記判定部は、前記第１分類部で分類された特定再生モード禁止領域であるか否かを判定する第１判定部を有し、前記再生制御手段は、前記第１判定部で特定再生モード禁止領域であると判定されたとき、前記再生手段の再生モードを標準再生モードに制御することとしている。このような構成によって、記録直後の映像データを再生するときには、標準再生速度で映像データを読み出し、再生するので記録ポイントと再生ポイントとが一致することを防止することができる。
【００９５】
また、前記分類部は、前記特定再生モード禁止領域の直前の所定数の単位映像データ群を特定再生モード警告領域に分類する第２分類部を更に有し、前記判定部は、前記第２分類部で分類された特定再生モード警告領域であるか否かを判定する第２判定部を更に有し、前記第２判定部で特定再生モード警告領域であると判定されたとき、早送り再生が禁止されている旨の警告を出力する警告手段を更に備えることとしている。このような構成によって、再生映像を視聴する視聴者に早送り再生が禁止されていることを警告し、リアルタイムの受信中の映像に近付いたことを知らせることができる。
【００９６】
また、本発明は、映像データを記録媒体に記録しながら、当該記録媒体に記録済みの映像データを追っかけ再生する映像記録再生方法であって、映像記録ステップと、複数の再生モードに設定可能で、設定されたモードで再生する再生ステップと、前記記録媒体上における記録進行中の位置と再生進行中の位置との関係から、再生モードを制限すべきか否かを判定する判定ステップと、再生モードを制限すべきと判定された場合、前記再生ステップでの設定可能な再生モードを制限する再生制御ステップとを有することとしている。このような方法によって、記録媒体に記録された映像データの再生ポイントが再生モードに制限がある領域にあるときには、その領域で許容される再生モードで映像データの読み出し、再生が行われるので、映像が飛ぶようなことが防止される。
【００９７】
また、本発明は、映像データを記録媒体に記録しながら、当該記録媒体に記録済みの映像データを追っかけ再生する映像記録再生方法をコンピュータに実行させるプラグラムであって、映像記録ステップと、複数の再生モードに設定可能で、設定されたモードで再生する再生ステップと、前記記録媒体上における記録進行中の位置と再生進行中の位置との関係から、再生モードを制限すべきか否かを判定する判定ステップと、再生モードを制限すべきと判定された場合、前記再生ステップでの設定可能な再生モードを制限する再生制御ステップとを有することとしている。このようなプログラムを用いることによって、追っかけ再生の映像飛びを防止することができる。
【００９８】
更に、本発明は、映像データを第１記録媒体に記録しながら、当該第１記録媒体に記録済みの映像データを追っかけ再生する映像記録再生方法をコンピュータに実行させるプログラムを記録したコンピュータ読み取り可能な第２記録媒体であって、プログラムは、映像記録ステップと、複数の再生モードに設定可能で、設定されたモードで再生する再生ステップと、前記記録媒体上における記録進行中の位置と再生進行中の位置との関係から、再生モードを制限すべきか否かを判定する判定ステップと、再生モードを制限すべきと判定された場合、前記再生ステップでの設定可能な再生モードを制限する再生制御ステップとを有することとしている。このような第２記録媒体を映像記録再生装置に適用して、追っかけ再生時に映像の途切れることを防止することができる。
【図面の簡単な説明】
【図１】本発明に係る映像記録再生装置の実施の形態１の構成図である。
【図２】上記実施の形態に再生制限モード設定部で記録される再生モードテーブルの初期状態を示す図である。
【図３】上記実施の形態の再生制御モード設定部で記録される再生モードテーブルの指定時間に一定時間を加えた時間が経過した直後の状態を示す図である。
【図４】上記実施の形態の再生制御モード設定部で記録される再生モードテーブルの図３の状態から更に一定時間が経過したときの図である。
【図５】上記実施の形態に再生制御モード確認部で、ファイルに全再生可能モードが設定されていると判定されたときのモード選択画面の一例を示す図である。
【図６】上記実施の形態に警告部で作成される警告画面の一例を示す図である。
【図７】上記実施の形態の再生制御モード確認部で、ファイルに再生制限モードが設定されていると判定されたときのモード選択画面の一例を示す図である。
【図８】上記実施の形態の外部の記録媒体に記録された映像データを模式的に示した図である。
【図９】上記実施の形態のリピート記録処理の動作を説明するフローチャートである。
【図１０】上記実施の形態の追っかけ再生処理の動作を説明するフローチャートである。
【図１１】本発明に係る映像記録再生装置の実施の形態２で記録媒体に記録される映像データの再生制御モードの経時的変化を説明する図である。
【図１２】上記実施の形態の再生制御モード設定部で記録される再生モードテーブルの一例を示す図である。
【図１３】本発明に係る映像記録再生装置の実施の形態３の再生制御モード設定部で記録される再生モードテーブルの一例を示す図である。
【図１４】上記実施の形態の外部の記録媒体に記録された映像データの記録ポイントと再生ポイントとを模式的に示した図である。
【図１５】上記実施の形態で再生ポイントが記録ポイントに追ってきた状態を模式的に示した図である。
【図１６】上記実施の形態で再生ポイントが早送り警告領域に達したときに外部のモニタに表示される警告画面を示す図である。
【図１７】上記実施の形態の動作を説明するフローチャートである。
【図１８】上記実施の形態の動作を説明するフローチャートである。
【図１９】従来のリピート記録時の追っかけ再生を説明するための図である。
【符号の説明】
１０１　　映像記録再生装置
１０２　　ユーザＩ／Ｆ処理部
１０３　　通常記録制御部
１０４　　リピート記録制御部
１０５　　映像データ受信部
１０６　　映像データ記録部
１０７　　再生制御モード設定部
１０８　　ファイル削除処理部
１０９　　通常再生制御部
１１０　　特殊再生制御部
１１１　　再生制御モード確認部
１１２　　映像データ再生部
１１３　　映像出力部
１１４　　警告部
１２１　　記録媒体
【図１】
2004072431.tif 000003
【図２】
2004072431.tif 000004
【図３】
2004072431.tif 000005
【図４】
2004072431.tif 000006
【図５】
2004072431.tif 000007
【図６】
2004072431.tif 000008
【図７】
2004072431.tif 000009
【図８】
2004072431.tif 000010
【図９】
2004072431.tif 000011
【図１０】
2004072431.tif 000012
【図１１】
2004072431.tif 000013
【図１２】
2004072431.tif 000014
【図１３】
2004072431.tif 000015
【図１４】
2004072431.tif 000016
【図１５】
2004072431.tif 000017
【図１６】
2004072431.tif 000018
【図１７】
2004072431.tif 000019
【図１８】
2004072431.tif 000020
【図１９】
2004072431.tif 000021